(57)【要約】【課題】無線通信を容易に利用する。【解決手段】情報処理装置は、管理部および制御部を具備する情報処理装置である。ここで、管理部は、無線通信を利用して所定のネットワークに接続する際における認証に用いられる情報であって第１無線通信装置に保持されている設定情報を管理する管理部である。また、制御部は、管理部により管理されている設定情報を、第１無線通信装置とは異なる無線通信装置（第２無線通信装置）に提供するための制御を行うものである。【選択図】図２
2013211647.tif 000002
【特許請求の範囲】
【請求項１】
無線通信を利用して所定のネットワークに接続する際における認証に用いられる情報であって第１無線通信装置に保持されている設定情報を管理する管理部と、
前記設定情報を第２無線通信装置に提供するための制御を行う制御部と
を具備する情報処理装置。
【請求項２】
前記制御部は、前記管理部に複数の設定情報が管理されている場合には前記複数の設定情報を前記第２無線通信装置に表示させて１または複数の設定情報をユーザ操作により選択させるための表示情報を前記第２無線通信装置に送信するための制御を行う請求項１記載の情報処理装置。
【請求項３】
前記制御部は、前記ユーザ操作により選択された設定情報のみを第２無線通信装置に提供するための制御を行う請求項２記載の情報処理装置。
【請求項４】
前記制御部は、ユーザ操作に応じて前記第２無線通信装置から送信される前記設定情報の要求が受け付けられた場合に、前記設定情報を第２無線通信装置に提供するための制御を行う請求項１記載の情報処理装置。
【請求項５】
前記制御部は、前記第２無線通信装置から所定タイミングで送信される前記設定情報の要求が受け付けられた場合に、前記設定情報を第２無線通信装置に提供するための制御を行う請求項１記載の情報処理装置。
【請求項６】
前記所定タイミングは、所定間隔毎のタイミングまたは前記第２無線通信装置の電源がオンされたタイミングである請求項５記載の情報処理装置。
【請求項７】
前記第２無線通信装置は、接続可能な通信経路を利用して前記設定情報の要求を前記情報処理装置に送信し、前記通信経路を利用して前記設定情報を前記情報処理装置から受信して保存する請求項１記載の情報処理装置。
【請求項８】
前記設定情報は、無線ＬＡＮを利用して前記ネットワークに接続する際における認証に用いられる情報である請求項１記載の情報処理装置。
【請求項９】
前記制御部は、前記第１無線通信装置および前記第２無線通信装置を管理する管理装置から、前記第２無線通信装置への前記設定情報の提供の許可を受けたことを条件に、前記設定情報を第２無線通信装置に提供する請求項１記載の情報処理装置。
【請求項１０】
前記管理部は、前記第１無線通信装置からの要求に応じて前記設定情報を登録するデータベースである請求項１記載の情報処理装置。
【請求項１１】
前記管理部は、前記第１無線通信装置のユーザ毎に１または複数の前記設定情報を登録するデータベースである請求項１記載の情報処理装置。
【請求項１２】
無線通信を利用して所定のネットワークに接続する際における認証に用いられる設定情報を保持する第１無線通信装置と、
前記設定情報を管理する管理部と、前記設定情報の要求が第２無線通信装置から受け付けられた場合に前記設定情報を前記第２無線通信装置に提供するための制御を行う制御部とを備える情報処理装置と、
接続可能な通信経路を利用して前記設定情報の要求を前記情報処理装置に送信し、前記通信経路を利用して前記設定情報を前記情報処理装置から受信して保存する第２無線通信装置と
を具備する通信システム。
【請求項１３】
無線通信を利用して所定のネットワークに接続する際における認証に用いられる情報であって第１無線通信装置に保持されている設定情報の要求を第２無線通信装置から受け付ける受付手順と、
前記設定情報の要求が受け付けられた場合に、前記設定情報を管理する管理部に管理されている前記設定情報を前記第２無線通信装置に提供する提供手順と
を具備する情報処理方法。
【発明の詳細な説明】
【技術分野】
【０００１】
本技術は、情報処理装置に関する。詳しくは、ネットワークに接続する情報処理装置、通信システムおよび情報処理方法に関する。
【背景技術】
【０００２】
現在、３Ｇ（3rd Generation：第３世代携帯電話）等の公衆無線網のネットワークを利用して無線通信を行う無線通信装置が広く普及している。また、無線ＬＡＮ（Local Area Network）を利用して無線通信を行う無線通信装置が広く普及している。
【０００３】
例えば、公衆無線網等のネットワークに接続する場合には、契約認証情報（例えば、ＵＳＩＭ（Universal Subscriber Identity Module）を用いてその接続が行われる。例えば、ＵＳＩＭ機能を付加するカードが装着される携帯電話装置が提案されている（例えば、特許文献１参照。）。
【先行技術文献】
【特許文献】
【０００４】
【特許文献１】特開２００８−２１０３０１号公報
【発明の概要】
【発明が解決しようとする課題】
【０００５】
上述の従来技術では、例えば、３Ｇ等の公衆無線網のネットワークを利用する場合には、ユーザは、無線通信装置の設定作業を行うことなく、ネットワークを利用することができる。これに対して、無線ＬＡＮを利用する場合には、ユーザは、使用する無線ＬＡＮ毎に設定作業（例えば、ＩＤやパスワードの入力操作）を行う必要があり、その設定作業が煩雑となるおそれがある。このため、例えば、無線ＬＡＮを利用する場合でも、無線通信を容易に利用することができれば、便利である。
【０００６】
本技術はこのような状況に鑑みて生み出されたものであり、無線通信を容易に利用することを目的とする。
【課題を解決するための手段】
【０００７】
本技術は、上述の問題点を解消するためになされたものであり、その第１の側面は、無線通信を利用して所定のネットワークに接続する際における認証に用いられる情報であって第１無線通信装置に保持されている設定情報を管理する管理部と、上記設定情報を第２無線通信装置に提供するための制御を行う制御部とを具備する情報処理装置および情報処理方法ならびに当該方法をコンピュータに実行させるプログラムである。これにより、第１無線通信装置に保持されている設定情報を第２無線通信装置に提供するという作用をもたらす。
【０００８】
また、この第１の側面において、上記制御部は、上記管理部に複数の設定情報が管理されている場合には上記複数の設定情報を上記第２無線通信装置に表示させて１または複数の設定情報をユーザ操作により選択させるための表示情報を上記第２無線通信装置に送信するための制御を行うようにしてもよい。これにより、管理部に複数の設定情報が管理されている場合には、複数の設定情報を第２無線通信装置に表示させて１または複数の設定情報をユーザ操作により選択させるための表示情報を第２無線通信装置に送信するという作用をもたらす。
【０００９】
また、この第１の側面において、上記制御部は、上記ユーザ操作により選択された設定情報のみを第２無線通信装置に提供するための制御を行うようにしてもよい。これにより、ユーザ操作により選択された設定情報のみを第２無線通信装置に提供するという作用をもたらす。
【００１０】
また、この第１の側面において、上記制御部は、ユーザ操作に応じて上記第２無線通信装置から送信される上記設定情報の要求が受け付けられた場合に、上記設定情報を第２無線通信装置に提供するための制御を行うようにしてもよい。これにより、ユーザ操作に応じて第２無線通信装置から送信される設定情報の要求が受け付けられた場合に、設定情報を第２無線通信装置に提供するという作用をもたらす。
【００１１】
また、この第１の側面において、上記制御部は、上記第２無線通信装置から所定タイミングで送信される上記設定情報の要求が受け付けられた場合に、上記設定情報を第２無線通信装置に提供するための制御を行うようにしてもよい。これにより、第２無線通信装置から所定タイミングで送信される設定情報の要求が受け付けられた場合に、設定情報を第２無線通信装置に提供するという作用をもたらす。
【００１２】
また、この第１の側面において、上記所定タイミングを、所定間隔毎のタイミングまたは上記第２無線通信装置の電源がオンされたタイミングとするようにしてもよい。これにより、所定間隔毎のタイミング、または、第２無線通信装置の電源がオンされたタイミングで、第２無線通信装置から送信される設定情報の要求が受け付けられた場合に、設定情報を第２無線通信装置に提供するという作用をもたらす。
【００１３】
また、この第１の側面において、上記第２無線通信装置は、接続可能な通信経路を利用して上記設定情報の要求を上記情報処理装置に送信し、上記通信経路を利用して上記設定情報を上記情報処理装置から受信して保存するようにしてもよい。これにより、第２無線通信装置は、接続可能な通信経路を利用して設定情報の要求を情報処理装置に送信し、通信経路を利用して設定情報を情報処理装置から受信して保存するという作用をもたらす。
【００１４】
また、この第１の側面において、上記設定情報を、無線ＬＡＮを利用して上記ネットワークに接続する際における認証に用いられる情報とするようにしてもよい。これにより、無線ＬＡＮを利用してネットワークに接続する際における認証に用いられる情報を設定情報とするという作用をもたらす。
【００１５】
また、この第１の側面において、上記制御部は、上記第１無線通信装置および上記第２無線通信装置を管理する管理装置から、上記第２無線通信装置への上記設定情報の提供の許可を受けたことを条件に、上記設定情報を第２無線通信装置に提供するようにしてもよい。これにより、第１無線通信装置および第２無線通信装置を管理する管理装置から、第２無線通信装置への設定情報の提供の許可を受けたことを条件に、設定情報を第２無線通信装置に提供するという作用をもたらす。
【００１６】
また、この第１の側面において、上記管理部を、上記第１無線通信装置からの要求に応じて上記設定情報を登録するデータベースとするようにしてもよい。これにより、第１無線通信装置からの要求に応じて設定情報を登録するデータベースを用いるという作用をもたらす。
【００１７】
また、この第１の側面において、上記管理部を、上記第１無線通信装置のユーザ毎に１または複数の上記設定情報を登録するデータベースとするようにしてもよい。これにより、第１無線通信装置のユーザ毎に１または複数の設定情報を登録するデータベースを用いるという作用をもたらす。
【００１８】
また、本技術の第２の側面は、無線通信を利用して所定のネットワークに接続する際における認証に用いられる設定情報を保持する第１無線通信装置と、上記設定情報を管理する管理部と、上記設定情報の要求が第２無線通信装置から受け付けられた場合に上記設定情報を上記第２無線通信装置に提供するための制御を行う制御部とを備える情報処理装置と、接続可能な通信経路を利用して上記設定情報の要求を上記情報処理装置に送信し、上記通信経路を利用して上記設定情報を上記情報処理装置から受信して保存する第２無線通信装置とを具備する通信システムおよびこれにおける情報処理方法ならびに当該方法をコンピュータに実行させるプログラムである。これにより、情報処理装置は、設定情報の要求が第２無線通信装置から受け付けられた場合に、第１無線通信装置に保持されている設定情報を第２無線通信装置に提供し、第２無線通信装置は、接続可能な通信経路を利用して設定情報の要求を情報処理装置に送信し、その通信経路を利用して設定情報を情報処理装置から受信して保存するという作用をもたらす。
【発明の効果】
【００１９】
本技術によれば、無線通信を容易に利用することができるという優れた効果を奏し得る。
【図面の簡単な説明】
【００２０】
【図１】本技術の第１の実施の形態における通信システム１００のシステム構成例を示すブロック図である。
【図２】本技術の第１の実施の形態における設定サーバ２００および許可サーバ３００の機能構成例を示すブロック図である。
【図３】本技術の第１の実施の形態における設定情報管理データベース２３０を模式的に示す図である。
【図４】本技術の第１の実施の形態におけるデバイス管理データベース３３０を模式的に示す図である。
【図５】本技術の第１の実施の形態における第１無線通信装置４００の内部構成例を示すブロック図である。
【図６】本技術の第１の実施の形態における第１無線通信装置４００の表示部４７０に表示される表示画面例を示す図である。
【図７】本技術の第１の実施の形態における通信システム１００を構成する各装置間における通信処理例を示すシーケンスチャートである。
【図８】本技術の第１の実施の形態における第２無線通信装置５００の表示部４７０に表示される表示画面例を示す図である。
【図９】本技術の第１の実施の形態における通信システム１００を構成する各装置間における通信処理例を示すシーケンスチャートである。
【図１０】本技術の第１の実施の形態における第２無線通信装置５００の設定情報の取得時における遷移例を模式的に示す図である。
【図１１】本技術の第１の実施の形態における設定サーバ２００による通信処理の処理手順の一例を示すフローチャートである。
【図１２】本技術の第１の実施の形態における第２無線通信装置５００の表示部４７０に表示される表示画面例（設定情報選択画面６４０）を示す図である。
【図１３】本技術の第２の実施の形態における第２無線通信装置５００の設定情報の取得時における遷移例を模式的に示す図である。
【図１４】本技術の第３の実施の形態における通信システム１００を構成する各装置間における通信処理例を示すシーケンスチャートである。
【発明を実施するための形態】
【００２１】
以下、本技術を実施するための形態（以下、実施の形態と称する）について説明する。説明は以下の順序により行う。
１．第１の実施の形態（設定情報取得制御：３Ｇネットワークを利用して設定情報を取得する例）
２．第２の実施の形態（設定情報取得制御：無線ＬＡＮを利用して設定情報を取得する例）
３．第３の実施の形態（設定情報取得制御：設定情報を自動で取得する例）
【００２２】
＜１．第１の実施の形態＞
［通信システムの構成例］
図１は、本技術の第１の実施の形態における通信システム１００のシステム構成例を示すブロック図である。
【００２３】
通信システム１００は、ネットワーク１１０と、通信制御装置１２０と、基地局１２１と、ルータ（家庭内無線ＬＡＮ（Local Area Network））１３０と、ルータ（公衆無線ＬＡＮ）１４０とを備える。また、通信システム１００は、アクセスポイント１３１、１４１と、設定サーバ２００と、許可サーバ３００と、第１無線通信装置４００と、第２無線通信装置５００とを備える。
【００２４】
ネットワーク１１０は、電話網、インターネット等のネットワーク（例えば、公衆回線網）である。また、ネットワーク１１０と通信制御装置１２０とは、ゲートウェイ（図示せず）を介して接続される。また、ネットワーク１１０とルータ（家庭内無線ＬＡＮ）１３０とは、ブロードバンド回線（図示せず）を介して接続される。なお、ブロードバンド回線は、例えば、ＡＤＳＬ（Asymmetric Digital Subscriber Line）、ＦＴＴＨ（Fiber To The Home）、ＣＡＴＶ（CAble TeleVision）等の回線である。
【００２５】
通信制御装置１２０は、無線接続サービスを提供する無線事業者により管理される通信制御装置である。すなわち、通信制御装置１２０は、インターネット・サービス等を提供するものであり、例えば、無線接続サービスを提供する無線事業者（例えば、携帯電話事業者）に対応する。
【００２６】
例えば、通信制御装置１２０は、基地局１２１を介して接続される無線通信装置の認証制御を行う。例えば、通信制御装置１２０は、基地局１２１を介して接続される無線通信装置のうち、通信制御装置１２０の契約認証情報を保持する無線通信装置を認証する。そして、通信制御装置１２０は、認証された無線通信装置をゲートウェイ（図示せず）を介してネットワーク１１０に接続する。
【００２７】
基地局１２１は、認証された無線通信装置と通信制御装置１２０とを無線回線を介して接続する移動体通信基地局（ＮｏｄｅＢ）である。
【００２８】
ルータ（家庭内無線ＬＡＮ）１３０は、アクセスポイント１３１を介して接続される無線通信装置をネットワーク１１０に接続するための通信機器であり、例えば、家庭内に設置される。
【００２９】
ルータ（公衆無線ＬＡＮ）１４０は、アクセスポイント１４１を介して接続される無線通信装置をネットワーク１１０に接続するための通信機器であり、例えば、屋外等に設置される。
【００３０】
アクセスポイント１３１、１４１は、例えば、ＩＥＥＥ（Institute of Electrical and Electronics Engineers）８０２．１１ａ／ｂ／ｇ／ｎ等の無線ＬＡＮ方式に対応するアクセスポイントである。すなわち、ルータ（家庭内無線ＬＡＮ）１３０およびアクセスポイント１３１と、ルータ（公衆無線ＬＡＮ）１４０およびアクセスポイント１４１とにより、ＩＥＥＥ８０２．１１ａ／ｂ／ｇ／ｎにより規格化された無線ＬＡＮが実現される。
【００３１】
設定サーバ２００は、ネットワーク１１０を介して接続される無線通信装置の設定情報（例えば、ＩＤ、パスワード）を管理する情報処理装置である。また、設定サーバ２００は、無線通信装置からの要求（設定情報要求）に応じて、管理されている設定情報をその無線通信装置に提供する。なお、設定サーバ２００については、図２を参照して詳細に説明する。また、設定サーバ２００は、特許請求の範囲に記載の情報処理装置の一例である。
【００３２】
許可サーバ３００は、ネットワーク１１０を介して接続される無線通信装置を管理する管理装置である。なお、許可サーバ３００については、図２を参照して詳細に説明する。
【００３３】
第１無線通信装置４００、第２無線通信装置５００は、例えば、携帯電話装置（例えば、通話機能およびデータ通信機能を備えるスマートフォンやタブレット端末）である。
【００３４】
また、第１無線通信装置４００は、契約認証情報４０１、第１設定情報４０２、第２設定情報４０３を保持し、第２無線通信装置５００は、契約認証情報５０１のみを保持するものとする。
【００３５】
ここで、契約認証情報は、例えば、電話の加入者（Subscriber）情報と、認証鍵（Authentication）の情報とを含む情報であり、例えば、基地局１２１を介して通信制御装置１２０と接続するための情報である。契約認証情報は、例えば、ＵＳＩＭ（Universal Subscriber Identity Module）に対応する。
【００３６】
また、設定情報は、無線ＬＡＮを利用して接続を要求する無線通信装置に対する認証を行い、接続権限を与える際に用いられる情報である。すなわち、設定情報は、無線通信を利用して所定のネットワークに接続する際における認証に用いられる情報である。例えば、第１設定情報４０２は、アクセスポイント１３１に接続するための情報であり、例えば、ＳＳＩＤ（Service Set Identifier）、ＫＥＹ（暗号キー）に対応する。また、第２設定情報４０３は、アクセスポイント１４１に接続するための情報であり、例えば、ＩＤ、パスワードに対応する。
【００３７】
例えば、第１無線通信装置４００は、契約認証情報４０１に基づいて基地局１２１を介して通信制御装置１２０と接続し、ネットワーク１１０に接続することができる。同様に、例えば、第２無線通信装置５００は、契約認証情報５０１に基づいて基地局１２１を介して通信制御装置１２０と接続し、ネットワーク１１０に接続することができる。
【００３８】
また、例えば、第１無線通信装置４００は、第１設定情報４０２に基づいて、アクセスポイント１３１を介してルータ（家庭内無線ＬＡＮ）１３０に接続し、ネットワーク１１０に接続することができる。同様に、例えば、第１無線通信装置４００は、第２設定情報４０３に基づいて、アクセスポイント１４１を介してルータ（公衆無線ＬＡＮ）１４０に接続し、ネットワーク１１０に接続することができる。
【００３９】
これに対して、第２無線通信装置５００は、第１設定情報を保持していないため、アクセスポイント１３１に接続することができない。同様に、第２無線通信装置５００は、第２設定情報を保持していないため、アクセスポイント１４１に接続することができない。このため、第２無線通信装置５００は、無線ＬＡＮを介してネットワーク１１０に接続することができない。
【００４０】
［設定サーバおよび許可サーバの構成例］
図２は、本技術の第１の実施の形態における設定サーバ２００および許可サーバ３００の機能構成例を示すブロック図である。
【００４１】
設定サーバ２００は、通信部２１０と、制御部２２０と、設定情報管理データベース２３０とを備える。
【００４２】
通信部２１０は、ネットワーク１１０と接続され、制御部２２０の制御に基づいて、ネットワーク１１０を介して接続される各無線通信装置との間で各情報のやりとりを行うものである。また、通信部２１０は、許可サーバ３００と接続され、制御部２２０の制御に基づいて、許可サーバ３００との間で各情報のやりとりを行う。例えば、通信部２１０は、各無線通信装置から送信される各情報（例えば、図７に示すログイン要求）を、ネットワーク１１０を介して受け付け、その受け付けられた各情報を制御部２２０に出力する。また、通信部２１０は、制御部２２０から出力された各情報を各無線通信装置に、ネットワーク１１０を介して送信する。
【００４３】
制御部２２０は、ネットワーク１１０を介して接続される各無線通信装置との間で行われる通信に関する各処理を行うものである。例えば、制御部２２０は、ユーザ操作に応じて無線通信装置から送信される設定情報の要求が受け付けられた場合に、設定情報管理データベース２３０に管理されている設定情報を無線通信装置に提供するための制御を行う。この場合に、制御部２２０は、各無線通信装置を管理する許可サーバ３００から、設定情報の要求を送信した無線通信装置への設定情報の提供の許可を受けたことを条件に、設定情報をその無線通信装置に提供する。
【００４４】
設定情報管理データベース２３０は、無線通信装置に保持されている設定情報を管理するための各情報を格納するデータベースである。なお、設定情報管理データベース２３０については、図３を参照して詳細に説明する。また、設定情報管理データベース２３０は、特許請求の範囲に記載の管理部の一例である。
【００４５】
許可サーバ３００は、通信部３１０と、制御部３２０と、デバイス管理データベース３３０とを備える。
【００４６】
通信部３１０は、設定サーバ２００と接続され、制御部３２０の制御に基づいて、設定サーバ２００との間で各情報のやりとりを行うものである。例えば、通信部３１０は、設定サーバ２００からの許可要求（図９に示す）を受け付け、この受け付けられた許可要求を制御部３２０に出力する。また、通信部３１０は、制御部３２０から出力された許可通知（図９に示す）を設定サーバ２００に送信する。
【００４７】
制御部３２０は、設定サーバ２００との間で行われる通信に関する各処理を行うものである。例えば、制御部３２０は、設定サーバ２００からの許可要求に対して判定処理を行い、この判定結果（許可通知、不許可通知）を出力する。この判定処理は、設定情報の要求を送信した無線通信装置への設定情報の提供を許可するか否かを判定する処理である。
【００４８】
デバイス管理データベース３３０は、各無線通信装置を管理するための各情報を格納するデータベースである。なお、デバイス管理データベース３３０については、図４を参照して詳細に説明する。
【００４９】
［設定情報管理データベースの構成例］
図３は、本技術の第１の実施の形態における設定情報管理データベース２３０を模式的に示す図である。
【００５０】
設定情報管理データベース２３０には、ユーザＩＤ２３１と、パスワード２３２と、端末識別情報２３３と、登録情報２３４とが関連付けて記憶されている。これらの情報は、例えば、無線通信装置からの登録修正要求に基づいて、制御部２２０により順次更新される。例えば、第１無線通信装置４００のユーザが、アクセスポイント１４１に接続するための設定情報（第２設定情報４０３）の登録操作を行った場合に、第２設定情報４０３が設定情報管理データベース２３０に登録される。
【００５１】
ユーザＩＤ２３１には、各ユーザを識別するための識別情報が格納される。また、パスワード２３２には、各ユーザに付与されるパスワードが格納される。
【００５２】
端末識別情報２３３には、各無線通信装置を識別するための識別情報（例えば、機器固有ＩＤ）が格納される。端末識別情報２３３には、例えば、ＩＭＥＩ（International Mobile Equipment Identity）が格納される。なお、ＩＭＥＩは、１５桁の数字により表されるが、説明の容易のため、図３等では、ＩＭＥＩを「ＡＡＡＡ」、「ＢＢＢＢ」等で表す。例えば、端末識別情報２３３の「ＡＡＡＡ」が第１無線通信装置４００に対応するものとする。
【００５３】
登録情報２３４には、無線ＬＡＮに接続する際に用いられる設定情報に関する各情報が格納される。登録情報２３４には、例えば、種類と、設定情報と、名称とが格納される。種類は、設定情報を用いて接続される無線ＬＡＮの種類である。設定情報は、無線ＬＡＮのアクセスポイントに接続する際に用いられる情報である。例えば、公衆無線ＬＡＮの設定情報は、ＩＤおよびパスワードの組合せである。また、家庭内無線ＬＡＮの設定情報は、ＳＳＩＤ、ＫＥＹ（暗号キー）の組合せである。名称は、各無線ＬＡＮを識別するために、ユーザにより設定される名称である。
【００５４】
このように、設定情報管理データベース２３０は、無線通信装置に保持されている設定情報を管理する。また、設定情報管理データベース２３０には、無線通信装置からの要求に応じて設定情報が登録される。この場合に、無線通信装置のユーザ毎に１または複数の設定情報が登録される。
【００５５】
［デバイス管理データベースの構成例］
図４は、本技術の第１の実施の形態におけるデバイス管理データベース３３０を模式的に示す図である。
【００５６】
デバイス管理データベース３３０には、ユーザＩＤ３３１と、端末識別情報３３２と、デバイス名称３３３とが関連付けて記憶されている。これらの情報は、例えば、各無線通信装置からの要求に基づいて、制御部３２０により順次更新される。
【００５７】
ユーザＩＤ３３１には、各ユーザを識別するための識別情報が格納される。なお、ユーザＩＤ３３１は、図３に示すユーザＩＤ２３１に対応する。
【００５８】
端末識別情報３３２には、各無線通信装置を識別するための端末識別情報が格納される。なお、端末識別情報３３２は、図４に示す端末識別情報２３３に対応する。
【００５９】
デバイス名称３３３には、各無線通信装置を識別するために、ユーザにより設定される名称が格納される。
【００６０】
［無線通信装置の構成例］
図５は、本技術の第１の実施の形態における第１無線通信装置４００の内部構成例を示すブロック図である。なお、第２無線通信装置５００の内部構成は、第１無線通信装置４００と略同様であるため、第２無線通信装置５００についての説明を省略する。
【００６１】
第１無線通信装置４００は、アンテナ４１１、４２１と、通信部４１０と、無線ＬＡＮ通信部４２０と、制御部４３０と、メモリ４４０と、契約認証情報記憶部４５０と、設定情報記憶部４５５とを備える。また、第１無線通信装置４００は、操作部４６０と、表示部４７０と、位置情報取得部４８０と、マイクロフォン４９１と、スピーカ４９２とを備える。また、各部がバス４３１により接続される。
【００６２】
通信部４１０は、アンテナ共用部４１２と、復調部４１３と、変調部４１４とを備える。例えば、３Ｇネットワークを使用して受信処理が行われる場合には、アンテナ４１１により受信された電波が、アンテナ共用部４１２を経由して復調部４１３により復調され、この復調された受信データが制御部４３０に供給される。その受信処理が受話処理である場合には、その復調された受信データ（音声データ）が制御部４３０を経由してスピーカ４９２から音声として出力される。
【００６３】
また、例えば、３Ｇネットワークを使用して送信処理が行われる場合には、制御部４３０により出力された送信データが変調部４１４により変調され、変調された送信データがアンテナ共用部４１２を経由してアンテナ４１１から送信される。その送信処理が送話処理である場合には、マイクロフォン４９１から入力された音声データが制御部４３０を経由して変調部４１４により変調され、変調された送信データ（音声データ）がアンテナ共用部４１２を経由してアンテナ４１１から送信される。
【００６４】
無線ＬＡＮ通信部４２０は、アンテナ共用部４２２と、復調部４２３と、変調部４２４とを備える。なお、アンテナ４２１、アンテナ共用部４２２、復調部４２３および変調部４２４の各機能については、通信方式が異なるが、アンテナ４１１、アンテナ共用部４１２、復調部４１３および変調部４１４に対応するものである。このため、ここでの詳細な説明を省略する。
【００６５】
すなわち、無線ＬＡＮ通信部４２０は、制御部４３０の制御に基づいて、アクセスポイント１３１、１４１との間で、無線ＬＡＮ方式に対応する無線通信を行うものである。
【００６６】
制御部４３０は、メモリ４４０に格納されている制御プログラムに基づいて各種の制御を行うものである。制御部４３０は、例えば、マイクロプロセッサにより構成される。例えば、制御部４３０は、復調部４１３および変調部４１４と接続され、基地局１２１を介して接続される通信制御装置１２０との間で行われる各種データの送受信を行う。
【００６７】
メモリ４４０は、制御部４３０が各種制御を行うための制御プログラム、送信データ、受信データ等を格納するメモリである。メモリ４４０は、例えば、ＲＯＭ（Read Only Memory）やＲＡＭ（Random Access Memory）により構成される。また、メモリ４４０には、第１無線通信装置４００を特定するための端末識別情報（例えば、ＩＭＥＩ）が記憶されている。この端末識別情報が、設定サーバ２００に送信される各情報に含まれる。
【００６８】
契約認証情報記憶部４５０は、契約認証情報を保持するメモリである。契約認証情報記憶部４５０として、例えば、ＵＩＣＣ（Universal Integrated Circuit）カードを用いるようにしてもよく、契約認証情報をセキュアに保つための専用メモリを用いるようにしてもよい。また、メモリ４４０にセキュアな領域を確保することにより、契約認証情報記憶部４５０をメモリ４４０内に設けるようにしてもよい。
【００６９】
設定情報記憶部４５５は、設定情報を保持するメモリである。なお、メモリ４４０にセキュアな領域を確保することにより、設定情報記憶部４５５をメモリ４４０内に設けるようにしてもよい。
【００７０】
操作部４６０は、ユーザにより操作された操作入力を受け付ける操作受付部であり、受け付けられた操作入力に応じた信号を制御部４３０に出力する。操作部４６０は、数字キーやアルファベットキー等の各種キーを備える。また、操作部４６０は、設定サーバ２００との間で各種通信サービスを行うための操作を受け付ける。
【００７１】
表示部４７０は、制御部４３０の制御に基づいて、各種情報（文字情報や時刻情報等）を表示する表示部である。表示部４７０は、例えば、設定サーバ２００との間で各種通信サービスを行うための各情報（例えば、図６、図８に示す表示画面）を表示する。なお、表示部４７０として、例えば、有機ＥＬ（Electro Luminescence）パネル、ＬＣＤ（Liquid Crystal Display）パネル等の表示パネルを用いることができる。なお、操作部４６０および表示部４７０については、使用者がその指を表示面に接触または近接することにより操作入力を行うことが可能なタッチパネルを用いて一体で構成することができる。
【００７２】
位置情報取得部４８０は、第１無線通信装置４００が存在する位置を示す位置情報を取得するものであり、この取得された位置情報を制御部４３０に出力する。位置情報取得部４８０は、例えば、ＧＰＳ（Global Positioning System）信号受信アンテナ（図示せず）により受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【００７３】
［設定情報の登録時における表示遷移例］
図６は、本技術の第１の実施の形態における第１無線通信装置４００の表示部４７０に表示される表示画面例を示す図である。これらの各表示画面は、例えば、設定サーバ２００から送信される各情報に基づいて表示される。
【００７４】
図６（ａ）には、設定サーバ２００に設定情報を登録する際にログイン操作を行うためのログイン画面の一例（ログイン画面６００）を示す。
【００７５】
ログイン画面６００には、ユーザＩＤ入力領域６０１と、パスワード入力領域６０２と、キャンセルボタン６０３と、ＯＫボタン６０４とが設けられている。
【００７６】
ユーザＩＤ入力領域６０１は、第１無線通信装置４００のユーザが設定サーバ２００を管理運営する会社との間で契約している設定情報登録サービスを利用するためのユーザＩＤを入力するための領域である。
【００７７】
パスワード入力領域６０２は、第１無線通信装置４００のユーザが設定サーバ２００を管理運営する会社との間で契約している設定情報登録サービスを利用するためのパスワードを入力するための領域である。すなわち、ユーザＩＤ入力領域６０１には、設定情報登録サービスのユーザＩＤが入力され、パスワード入力領域６０２には、設定情報登録サービスのパスワードが入力される。具体的には、ユーザＩＤ入力領域６０１には、図３に示すユーザＩＤ２３１に格納されている情報が入力され、パスワード入力領域６０２には、図３に示すパスワード２３２に格納されている情報が入力される。なお、パスワードについては、実際の画面ではセキュリティの観点から非表示となるため、図６では「＊＊＊＊」で示す。
【００７８】
このように、ユーザＩＤ入力領域６０１およびパスワード入力領域６０２に各情報が入力され、ＯＫボタン６０４が押下されると、設定情報を入力するための設定情報入力画面に遷移する。この表示例を図６（ｂ）に示す。
【００７９】
また、それらの各情報の入力後にＯＫボタン６０４が押下されると、制御部４３０は、入力された各情報を含むログイン要求（図７に示す）を設定サーバ２００に送信する。
【００８０】
なお、ユーザＩＤ入力領域６０１およびパスワード入力領域６０２に入力された内容をキャンセルする場合には、キャンセルボタン６０３を押下する。
【００８１】
図６（ｂ）には、図６（ａ）に示すログイン画面６００において、ユーザＩＤ入力領域６０１およびパスワード入力領域６０２に各情報が入力され、ＯＫボタン６０４が押下された後に表示される表示画面例（設定情報入力画面６１０）を示す。
【００８２】
設定情報入力画面６１０には、種類入力領域６１１と、設定情報入力領域６１２、６１３と、名称入力領域６１４と、キャンセルボタン６１５と、ＯＫボタン６１６とが設けられている。
【００８３】
種類入力領域６１１は、登録すべき設定情報のネットワークの種類を入力するための領域である。例えば、プルダウンボタンの押下によりネットワークを一覧表示させ、この一覧表示の中から、登録すべき設定情報のネットワークの種類を選択することができる。
【００８４】
設定情報入力領域６１２、６１３は、登録すべき設定情報を入力するための領域である。この設定情報は、種類入力領域６１１において選択されたネットワークの種類に応じて、入力領域が表示される。例えば、種類入力領域６１１において家庭内無線ＬＡＮが選択された場合には、設定情報入力領域６１２、６１３として、ＳＳＩＤおよびパスワード（ＫＥＹ）を入力するための領域が表示される。
【００８５】
名称入力領域６１４は、各無線ＬＡＮを識別するための名称を入力するための領域である。
【００８６】
このように、各入力領域に各情報が入力され、ＯＫボタン６１６が押下されると、制御部４３０は、入力された各情報を含む登録情報（図７に示す）を設定サーバ２００に送信する。そして、この登録情報が、図３に示す設定情報管理データベース２３０の登録情報２３４に格納される。
【００８７】
なお、各入力領域に入力された内容をキャンセルする場合には、キャンセルボタン６１５を押下する。
【００８８】
［設定情報の登録時における通信例］
図７は、本技術の第１の実施の形態における通信システム１００を構成する各装置間における通信処理例を示すシーケンスチャートである。
【００８９】
図７では、ユーザが２つの無線通信装置（第１無線通信装置４００および第２無線通信装置５００）を所有している状況で、ユーザが第１無線通信装置４００を用いて設定情報を設定サーバ２００に登録する例を示す。また、第２無線通信装置５００が、設定サーバ２００に登録されている設定情報を取得する例については、図８、図９に示す。
【００９０】
また、上述したように、第１無線通信装置４００および第２無線通信装置５００のそれぞれは、３Ｇネットワーク、公衆無線ＬＡＮ、家庭内無線ＬＡＮに対応しているものとする。また、図１に示すように、第１無線通信装置４００は、３Ｇネットワークの契約認証情報４０１と、家庭内無線ＬＡＮおよび公衆無線ＬＡＮの設定情報（第１設定情報４０２および第２設定情報４０３）とを保持している。
【００９１】
最初に、ユーザによりログイン操作が行われる（７０１）。例えば、図６（ａ）に示すログイン画面６００において、ユーザＩＤ入力領域６０１およびパスワード入力領域６０２に各情報が入力され、ＯＫボタン６０４が押下されることにより、ログイン操作が行われる（７０１）。ログイン操作が行われた場合には（７０１）、ログイン要求が設定サーバ２００に送信される（７０２、７０３）。このログイン要求には、ログイン操作に応じた各情報（例えば、ユーザＩＤ、パスワード、端末識別情報）が含まれる。なお、第１無線通信装置４００は、３Ｇネットワークの契約認証情報と、家庭内無線ＬＡＮおよび公衆無線ＬＡＮの各設定情報とを保持しているため、これらのうちの何れかを介してログイン要求が設定サーバ２００に送信される（７０２、７０３）。
【００９２】
設定サーバ２００がログイン要求を受信した場合には（７０３）、設定サーバ２００の制御部２２０は、そのログイン要求を送信した第１無線通信装置４００について認証処理を行う（７０４）。
【００９３】
具体的には、制御部２２０は、設定情報管理データベース２３０の各内容と、ログイン要求に含まれる各情報とを比較して認証処理を行う（７０４）。すなわち、設定情報管理データベース２３０のユーザＩＤ２３１、パスワード２３２および端末識別情報２３３と、ログイン要求に含まれるユーザＩＤ、パスワードおよび端末識別情報とのそれぞれが一致するか否かを判断する。そして、ユーザＩＤ、パスワードおよび端末識別情報のそれぞれが一致する場合には、認証が成功したと判断される。一方、ユーザＩＤ、パスワードおよび端末識別情報の少なくとも１つが一致しない場合には、認証が失敗したと判断される。このように、認証が失敗した場合には、その旨を第１無線通信装置４００に送信して表示させ、再度のログイン操作を促すことができる。または、エラー通知を第１無線通信装置４００に送信して表示させるようにしてもよい。このように、認証が失敗した場合には、設定情報の登録処理を終了する。
【００９４】
認証が成功した場合には、制御部２２０は、認証結果を第１無線通信装置４００に送信する（７０５、７０６）。この認証結果には、設定情報入力画面（例えば、図６（ｂ）に示す設定情報入力画面６１０）を表示させるための情報が含まれる。
【００９５】
第１無線通信装置４００が認証結果を受信した場合には（７０６）、第１無線通信装置４００の制御部４３０は、その認証結果に基づいて設定情報入力画面を表示部４７０に表示させる（７０７）。例えば、図６（ｂ）に示す設定情報入力画面６１０が表示される（７０７）。
【００９６】
続いて、表示部４７０に表示されている設定情報入力画面において、ユーザによる設定情報入力操作が行われる（７０８）。例えば、図６（ｂ）に示す設定情報入力画面６１０において、各入力領域に各情報が入力され、ＯＫボタン６１６が押下される（７０８）。このように、設定情報入力画面において設定情報入力操作が行われた場合には（７０８）、第１無線通信装置４００の制御部４３０は、その設定情報入力操作に応じた登録情報を、設定サーバ２００に送信する（７０９、７１０）。ここで、設定情報入力操作に応じた登録情報には、例えば、種類、設定情報、名称が含まれる。
【００９７】
設定サーバ２００が登録情報を受信した場合には（７１０）、設定サーバ２００の制御部２２０は、その登録情報を設定情報管理データベース２３０に記録して登録する（７１１）。
【００９８】
［設定情報の取得時における表示遷移例］
図８は、本技術の第１の実施の形態における第２無線通信装置５００の表示部４７０に表示される表示画面例を示す図である。図８では、第１無線通信装置４００を用いて設定サーバ２００に登録された設定情報を、第２無線通信装置５００を用いて取得する例を示す。なお、第２無線通信装置５００の各構成については、第１無線通信装置４００と略同様であるため、第２無線通信装置５００の各部を説明する際には、第１無線通信装置４００と同一の符号を用いて説明する。また、図８に示す各表示画面は、例えば、設定サーバ２００から送信される各情報に基づいて表示される。
【００９９】
図８（ａ）には、設定サーバ２００から設定情報を取得する際にその取得要求操作を行うための表示画面の一例（設定情報要求画面６２０）を示す。
【０１００】
設定情報要求画面６２０には、ユーザＩＤ入力領域６２１と、キャンセルボタン６２２と、ＯＫボタン６２３とが設けられている。
【０１０１】
ユーザＩＤ入力領域６２１は、第２無線通信装置５００のユーザが設定サーバ２００を管理運営する会社との間で契約している設定情報登録サービスを利用するためのユーザＩＤを入力するための領域である。なお、ユーザＩＤ入力領域６２１に入力されるユーザＩＤは、図６（ａ）に示すユーザＩＤ入力領域６０１に入力されるユーザＩＤと同一である。
【０１０２】
ここで、ユーザＩＤ入力領域６２１にユーザＩＤが入力され、ＯＫボタン６２３が押下されると、制御部４３０は、入力されたユーザＩＤを含む設定情報要求（図９に示す）を設定サーバ２００に送信する。
【０１０３】
なお、ユーザＩＤ入力領域６２１に入力された内容をキャンセルする場合には、キャンセルボタン６２２を押下する。
【０１０４】
図８（ｂ）には、図８（ａ）に示す設定情報要求画面６２０において、ユーザＩＤ入力領域６２１にユーザＩＤが入力され、ＯＫボタン６２３が押下された後に表示される表示画面例（設定情報取得通知画面６３０）を示す。
【０１０５】
設定情報取得通知画面６３０には、設定情報表示領域６３１と、接続指示ボタン６３２、６３３と、メニューへボタン６３４とが設けられている。
【０１０６】
設定情報表示領域６３１は、設定サーバ２００から取得された設定情報に関する各情報を表示する領域である。設定情報表示領域６３１には、例えば、図３に示す登録情報２３４の名称が表示される。
【０１０７】
接続指示ボタン６３２、６３３は、設定サーバ２００から取得された設定情報を用いて接続処理を行う際に押下されるボタンである。
【０１０８】
メニューへボタン６３４は、メニュー画面に遷移する際に押下されるボタンである。
【０１０９】
なお、図８では、ユーザＩＤをユーザが入力して設定情報を取得する例を示すが、第２無線通信装置５００にユーザＩＤを予め登録しておき、この登録されているユーザＩＤを用いて設定情報を取得するようにしてもよい。この場合には、例えば、図８（ａ）に示す設定情報要求画面６２０におけるユーザＩＤ入力領域６２１にその登録されているユーザＩＤを表示させることができる。このため、ユーザは、その表示されているユーザＩＤを確認後にＯＫボタン６２３の押下操作を行うのみでよい。
【０１１０】
［設定情報の取得時における通信例］
図９は、本技術の第１の実施の形態における通信システム１００を構成する各装置間における通信処理例を示すシーケンスチャートである。
【０１１１】
図９では、第１無線通信装置４００が保持している家庭内無線ＬＡＮおよび公衆無線ＬＡＮの設定情報（第１設定情報４０２および第２設定情報４０３）が設定サーバ２００に登録されているものとする。また、図９では、ユーザが２つの無線通信装置（第１無線通信装置４００および第２無線通信装置５００）を所有している状況で、ユーザが第２無線通信装置５００を用いて設定サーバ２００に登録されている設定情報を取得する例を示す。
【０１１２】
また、上述したように、第１無線通信装置４００および第２無線通信装置５００のそれぞれは、３Ｇネットワーク、公衆無線ＬＡＮ、家庭内無線ＬＡＮに対応しているものとする。また、図１に示すように、第２無線通信装置５００は、家庭内無線ＬＡＮおよび公衆無線ＬＡＮの何れの設定情報も保持していないため、家庭内無線ＬＡＮおよび公衆無線ＬＡＮの何れも利用することができない。
【０１１３】
また、許可サーバ３００には、ユーザが所有する機器（デバイス）として、第１無線通信装置４００および第２無線通信装置５００が登録されているものとする。
【０１１４】
最初に、ユーザにより設定情報要求操作が行われる（７２１）。例えば、図８（ａ）に示す設定情報要求画面６２０において、ユーザＩＤ入力領域６２１にユーザＩＤが入力され、ＯＫボタン６２３が押下されることにより、設定情報要求操作が行われる（７２１）。
【０１１５】
設定情報要求操作が行われた場合には（７２１）、設定情報要求が設定サーバ２００に送信される（７２２、７２３）。この設定情報要求は、設定サーバ２００に登録されている設定情報（家庭内無線ＬＡＮおよび公衆無線ＬＡＮの設定情報）の取得要求であり、設定情報要求操作に応じた各情報（例えば、ユーザＩＤ、端末識別情報）が含まれる。なお、第２無線通信装置５００は、３Ｇネットワークの契約認証情報のみを保持しているため、３Ｇネットワークを使用して、設定情報要求が設定サーバ２００に送信される（７２２、７２３）。すなわち、基地局１２１、通信制御装置１２０を介して、第２無線通信装置５００から設定サーバ２００に設定情報要求が送信される（７２２、７２３）。
【０１１６】
設定サーバ２００が設定情報要求を受信した場合には（７２３）、設定サーバ２００の制御部２２０は、許可要求を許可サーバ３００に送信する（７２４、７２５）。この許可要求は、その設定情報要求を送信した第２無線通信装置５００がそのユーザの設定情報にアクセス可能か否かの問い合わせを行う要求であり、設定情報要求に含まれていた各情報（例えば、ユーザＩＤ、端末識別情報）が含まれる。
【０１１７】
許可要求を受信した場合には（７２５）、許可サーバ３００の制御部３２０は、その許可要求に含まれる端末識別情報により特定される無線通信装置（第２無線通信装置５００）が、そのユーザの所有に係るものであるか否かを判定する（７２６）。
【０１１８】
具体的には、制御部３２０は、デバイス管理データベース３３０の各内容と、許可要求に含まれる各情報とを比較して判定処理を行う（７２６）。すなわち、デバイス管理データベース３３０のユーザＩＤ３３１および端末識別情報３３２と、許可要求に含まれるユーザＩＤおよび端末識別情報とのそれぞれが一致するか否かを判断する。そして、ユーザＩＤおよび端末識別情報のそれぞれが一致する場合には、設定情報にアクセス可能であると判定される。一方、ユーザＩＤおよび端末識別情報の少なくとも１つが一致しない場合には、設定情報にアクセス不可能であると判定される。
【０１１９】
設定情報にアクセス可能であると判定された場合には、制御部３２０は、その旨を示す許可通知を設定サーバ２００に送信する（７２７、７２８）。設定サーバ２００が許可通知を受信した場合には（７２８）、設定サーバ２００の制御部２２０は、その許可通知に対応する設定情報要求を送信した無線通信装置（第２無線通信装置５００）に、設定情報を送信する（７２９、７３０）。この設定情報の送信先は、その許可通知に対応する設定情報要求に含まれる端末識別情報により特定される。また、その許可通知に対応する設定情報要求に含まれる各情報に関連付けて設定情報管理データベース２３０に格納されている全ての設定情報が第２無線通信装置５００に送信される（７２９、７３０）。
【０１２０】
第２無線通信装置５００が設定情報を受信した場合には（７３０）、第２無線通信装置５００の制御部４３０は、その設定情報を設定情報記憶部４５５に記憶させる（７３１）。続いて、第２無線通信装置５００の制御部４３０は、その旨を表示部４７０に表示させる（７３２）。例えば、図８（ｂ）に示す設定情報取得通知画面６３０が表示される（７３２）。
【０１２１】
また、設定情報取得通知画面６３０において、接続指示ボタン６３２、６３３の何れかの押下操作が行われた場合には（７３３）、第２無線通信装置５００の制御部４３０は、その押下操作に対応する接続処理を行う（７３４）。すなわち、設定サーバ２００から取得された設定情報を用いて、家庭内無線ＬＡＮまたは公衆無線ＬＡＮへの接続処理が行われる。
【０１２２】
接続指示ボタン６３２、６３３の何れの押下操作も行われない場合でも（７３３）、第２無線通信装置５００の制御部４３０は、家庭内無線ＬＡＮまたは公衆無線ＬＡＮの初回接続時に、設定サーバ２００から取得された設定情報を用いることができる。
【０１２３】
設定情報にアクセス不可能であると判定された場合には（７２６）、制御部３２０は、不許可通知を設定サーバ２００に送信する（７２７、７２８）。設定サーバ２００が不許可通知を受信した場合には、第２無線通信装置５００に設定情報の送信が不可である旨を送信する。この場合には、その旨を第２無線通信装置５００に表示させ、再度の設定情報要求操作を促すことができる。このように、設定情報にアクセス不可能であると判定された場合には、設定情報の取得処理を終了する。
【０１２４】
このように、第２無線通信装置５００は、接続可能な通信経路を利用して設定情報の要求を設定サーバ２００に送信し、その通信経路を利用して設定情報を設定サーバ２００から受信して保存する。
【０１２５】
［設定情報の取得時における遷移例］
図１０は、本技術の第１の実施の形態における第２無線通信装置５００の設定情報の取得時における遷移例を模式的に示す図である。
【０１２６】
図１０（ａ）には、設定情報要求を送信する前における第２無線通信装置５００の契約認証情報および設定情報の保持状態を示す。図１０（ｂ）には、設定サーバ２００から設定情報（第１設定情報５０２、第２設定情報５０３）を取得した後における第２無線通信装置５００の契約認証情報および設定情報の保持状態を示す。
【０１２７】
図１０（ｂ）に示すように、設定サーバ２００から設定情報を取得して保存した場合には、第２無線通信装置５００は、３Ｇネットワーク、家庭内無線ＬＡＮ、公衆無線ＬＡＮの何れについても利用することが可能となる。
【０１２８】
［設定サーバの動作例］
図１１は、本技術の第１の実施の形態における設定サーバ２００による通信処理の処理手順の一例を示すフローチャートである。
【０１２９】
最初に、制御部２２０は、設定情報要求を受信したか否かを判断し（ステップＳ９０１）、設定情報を受信していない場合には、監視を継続して行う。一方、設定情報要求を受信した場合には（ステップＳ９０１）、制御部２２０は、許可要求を許可サーバ３００に送信する（ステップＳ９０２）。
【０１３０】
続いて、制御部２２０は、許可サーバ３００から許可通知を受信したか否かを判断し（ステップＳ９０３）、許可通知を受信した場合には、その許可通知に対応する設定情報要求を送信した無線通信装置に設定情報を送信する（ステップＳ９０４）。
【０１３１】
また、許可通知を受信していない場合には（ステップＳ９０３）、制御部２２０は、不許可通知を受信したか否かを判断し（ステップＳ９０５）、不許可通知を受信していない場合には、ステップＳ９０３に戻る。一方、不許可通知を受信した場合には（ステップＳ９０５）、制御部２２０は、その不許可通知に対応する設定情報要求を送信した無線通信装置に、設定情報の送信が不可である旨を送信する（ステップＳ９０６）。なお、ステップＳ９０１は、特許請求の範囲に記載の受付手順の一例である。また、ステップＳ９０４は、特許請求の範囲に記載の提供手順の一例である。
【０１３２】
［設定情報を選択して保存する例］
以上では、設定サーバ２００に登録されている全ての設定情報（同一ユーザが登録した全ての設定情報）を取得して無線通信装置に保存する例を示した。ただし、無線通信装置の種類やユーザの使用状況によっては、不要となる設定情報も存在することが想定される。
【０１３３】
そこで、この例では、設定サーバ２００に登録されている複数の設定情報（同一ユーザが登録した複数の設定情報）のうちから、ユーザにより選択された設定情報のみを取得して無線通信装置に保存する例を示す。
【０１３４】
［設定情報の取得時における表示例］
図１２は、本技術の第１の実施の形態における第２無線通信装置５００の表示部４７０に表示される表示画面例（設定情報選択画面６４０）を示す図である。
【０１３５】
設定情報選択画面６４０は、設定サーバ２００に登録されている複数の設定情報のうちから、取得を希望する設定情報を選択するための表示画面である。例えば、設定サーバ２００が許可通知を許可サーバ３００から受信した後に（７２８（図９に示す））、制御部２２０が設定情報管理データベース２３０の内容（例えば、登録情報２３４の種類および名称）を表示情報として、第２無線通信装置５００に送信する。第２無線通信装置５００が、その表示情報を受信した場合には、第２無線通信装置５００の制御部４３０は、その表示情報に基づいて、設定情報選択画面６４０を表示部４７０に表示させる。
【０１３６】
設定情報選択画面６４０には、ネットワーク選択ボタン６４１、６４２と、キャンセルボタン６４３と、ＯＫボタン６４４とが設けられている。
【０１３７】
ネットワーク選択ボタン６４１、６４２は、設定サーバ２００に登録されている複数の設定情報のうちから、取得を希望する設定情報を選択するためのボタンである。ネットワーク選択ボタン６４１、６４２は、設定情報管理データベース２３０の内容に応じて、その数が増減され、その名称等が変更されて表示される。
【０１３８】
例えば、ユーザが第１設定情報の取得のみを希望する場合には、ネットワーク選択ボタン６４１を押下した後に、ＯＫボタン６４４を押下する。これにより、第２無線通信装置５００の制御部４３０は、押下されたネットワーク選択ボタン６４１に対応する設定情報要求を設定サーバ２００に送信する。この設定情報要求を受信した場合には、設定サーバ２００は、受信した設定情報要求に応じた設定情報を第２無線通信装置５００に送信する（図９に示す設定情報の送信（７２９、７３０））。
【０１３９】
このように、設定サーバ２００の制御部２２０は、設定情報管理データベース２３０に複数の設定情報が管理されている場合には、表示情報を第２無線通信装置５００に送信するための制御を行う。この表示情報は、複数の設定情報を第２無線通信装置５００に表示させて１または複数の設定情報をユーザ操作により選択させるための情報である。この場合に、設定サーバ２００の制御部２２０は、ユーザ操作により選択された設定情報のみを第２無線通信装置５００に提供するための制御を行う。
【０１４０】
このように、ユーザが取得を希望する設定情報のみを第２無線通信装置５００に容易に保存することができる。このため、例えば、設定サーバ２００に登録されている設定情報の数が多い場合でも、各無線通信装置に必要となる設定情報のみを容易な操作により保存することができる。
【０１４１】
＜２．第２の実施の形態＞
本技術の第１の実施の形態では、３Ｇネットワークを利用して設定情報を取得する例を示した。ここで、３Ｇネットワークに対応していない無線通信装置の場合には、３Ｇネットワークを利用して設定情報を取得することができない。
【０１４２】
そこで、本技術の第２の実施の形態では、３Ｇネットワーク以外のネットワークを利用して設定情報を取得する例を示す。なお、本技術の第２の実施の形態における通信システムの構成については、図１等に示す例と略同様である。このため、本技術の第１の実施の形態と共通する部分については、同一の符号を付して、これらの説明の一部を省略する。
【０１４３】
例えば、ユーザが２つの無線通信装置（第１無線通信装置４００および第２無線通信装置５００）を所有しているものとする。また、第１無線通信装置４００が保持している家庭内無線ＬＡＮおよび公衆無線ＬＡＮの設定情報（第１設定情報４０２および第２設定情報４０３）が設定サーバ２００に登録されているものとする。
【０１４４】
また、第１無線通信装置４００は、３Ｇネットワーク、公衆無線ＬＡＮ、家庭内無線ＬＡＮに対応しているものとする。また、第２無線通信装置５００は、３Ｇネットワークには対応していないものの、公衆無線ＬＡＮ、家庭内無線ＬＡＮには対応しているものとする。
【０１４５】
また、第２無線通信装置５００は、家庭内無線ＬＡＮおよび公衆無線ＬＡＮの何れの設定情報も保持していないため、家庭内無線ＬＡＮおよび公衆無線ＬＡＮの何れも利用することができないものとする。
【０１４６】
また、許可サーバ３００には、ユーザが所有する機器（デバイス）として、第１無線通信装置４００および第２無線通信装置５００が登録されているものとする。
【０１４７】
上述したように、第２無線通信装置５００が、家庭内無線ＬＡＮおよび公衆無線ＬＡＮの何れの設定情報も保持していない場合には、家庭内無線ＬＡＮおよび公衆無線ＬＡＮの何れも利用することができない。このため、ユーザは、家庭内無線ＬＡＮおよび公衆無線ＬＡＮの何れかを利用することができるように、第２無線通信装置５００についてネットワーク設定作業を行う。例えば、第２無線通信装置５００について、家庭内無線ＬＡＮのネットワーク設定作業を行う場合を想定する。この場合には、ユーザによる手動操作により家庭内無線ＬＡＮの設定情報が入力され、第２無線通信装置５００に保存される。これにより、第２無線通信装置５００は、家庭内無線ＬＡＮを使用することが可能になる。この場合における設定情報の保存例を図１３（ａ）に示す。
【０１４８】
［設定情報の取得時における遷移例］
図１３は、本技術の第２の実施の形態における第２無線通信装置５００の設定情報の取得時における遷移例を模式的に示す図である。
【０１４９】
図１３（ａ）には、設定情報要求を送信する前における第２無線通信装置５００の設定情報の保持状態を示す。図１３（ｂ）には、設定サーバ２００から設定情報を取得した後における第２無線通信装置５００の設定情報の保持状態を示す。
【０１５０】
図１３（ａ）に示すように、第２無線通信装置５００は、第１設定情報５０２を保持しているため、家庭内無線ＬＡＮを使用することが可能になる。このため、ユーザにより設定情報要求操作が行われた場合には（図９に示す７２１）、家庭内無線ＬＡＮを使用して、設定情報要求が設定サーバ２００に送信される（図９に示す７２２、７２３）。すなわち、アクセスポイント１３１、ルータ（家庭内無線ＬＡＮ）１３０を介して、第２無線通信装置５００から設定サーバ２００に設定情報要求が送信される（図９に示す７２２、７２３）。
【０１５１】
また、設定サーバ２００から第２無線通信装置５００に設定情報が送信される場合にも、家庭内無線ＬＡＮを使用して設定情報の送信が行われる（図９に示す７２９、７３０）。
【０１５２】
このように、設定サーバ２００および第２無線通信装置５００間における情報の送受信が家庭内無線ＬＡＮを使用して行われる。なお、これらの点以外は、図９に示す通信処理と同様であるため、ここでの説明を省略する。
【０１５３】
また、図１３（ｂ）に示すように、設定サーバ２００から設定情報を取得して保存した場合には、第２無線通信装置５００は、家庭内無線ＬＡＮ、公衆無線ＬＡＮの何れについても利用することが可能となる。
【０１５４】
＜３．第３の実施の形態＞
本技術の第１および第２の実施の形態では、ユーザ操作に基づいて設定情報を取得する例を示した。ここで、設定情報を自動で取得することも想定される。
【０１５５】
そこで、本技術の第３の実施の形態では、設定情報を自動で取得する例を示す。なお、本技術の第３の実施の形態における通信システムの構成については、図１等に示す例と略同様である。このため、本技術の第１の実施の形態と共通する部分については、同一の符号を付して、これらの説明の一部を省略する。
【０１５６】
［設定情報の取得時における通信例］
図１４は、本技術の第３の実施の形態における通信システム１００を構成する各装置間における通信処理例を示すシーケンスチャートである。
【０１５７】
なお、図１４は、図９に示す通信処理の変形例であり、設定情報の保持状態や登録状態等については、図９と同様であるものとする。また、第２無線通信装置５００においてユーザＩＤが予め設定されているものとする。
【０１５８】
最初に、第２無線通信装置５００の制御部４３０は、設定情報の更新確認要求を送信するタイミングとなったか否かを判定する（７４１）。ここで、設定情報の更新確認要求を送信するタイミングは、例えば、一定間隔の時刻（例えば、１時間毎の時刻（例えば、０時、１時、２時、…））となったタイミングや、第２無線通信装置５００の電源がオンされたタイミングである。
【０１５９】
設定情報の更新確認要求を送信するタイミングとなった場合には（７４１）、第２無線通信装置５００の制御部４３０は、設定情報の更新確認要求を送信する（７４２、７４３）。この設定情報の更新確認要求は、設定サーバ２００に登録されている設定情報（例えば、家庭内無線ＬＡＮおよび公衆無線ＬＡＮの設定情報）の更新の有無を確認するための要求であり、例えば、ユーザＩＤ、端末識別情報が含まれる。なお、第２無線通信装置５００は、３Ｇネットワークの契約認証情報のみを保持しているため、３Ｇネットワークを使用して、設定情報の更新確認要求が設定サーバ２００に送信される（７４２、７４３）。
【０１６０】
設定サーバ２００が設定情報の更新確認要求を受信した場合には（７４３）、設定サーバ２００の制御部２２０は、許可要求を許可サーバ３００に送信する（７４４、７４５）。この許可要求は、図９に示す許可要求と同様である。
【０１６１】
なお、許可要求の送信処理以降の各処理（７４４乃至７４８）については、図９に示す各処理（７２４乃至７２８）に対応する。このため、ここでの説明を省略する。
【０１６２】
設定サーバ２００が許可通知を受信した場合には（７４８）、設定サーバ２００の制御部２２０は、その許可通知に対応する設定情報の更新確認要求を送信した無線通信装置（第２無線通信装置５００）に、設定情報の更新有無結果を送信する（７４９、７５０）。この設定情報の更新有無結果の送信先は、その許可通知に対応する設定情報の更新確認要求に含まれる端末識別情報により特定される。また、その許可通知に対応する設定情報の更新確認要求に含まれる各情報に関連付けて設定情報管理データベース２３０に格納されている設定情報の更新の有無が、設定情報の更新有無結果として第２無線通信装置５００に送信される（７４９、７５０）。例えば、設定情報の更新がされていた場合には、設定情報の更新有無結果として有が送信され、設定情報の更新がされていない場合には、設定情報の更新有無結果として無が送信される。
【０１６３】
第２無線通信装置５００が設定情報の更新有無結果を受信した場合には（７５０）、第２無線通信装置５００の制御部４３０は、設定情報の更新有無結果を確認する。そして、設定情報の更新有無結果が有の場合には、第２無線通信装置５００の制御部４３０は、設定情報要求を設定サーバ２００に送信する（７５１、７５２）。この設定情報要求は、図９に示す設定情報要求と同様である。ただし、更新により追加または変更された設定情報のみを要求するようにしてもよい。
【０１６４】
また、設定情報要求の送信処理以降の各処理（７５１乃至７５８）については、図９に示す各処理（７２２、７２３、７２９乃至７３４）に対応する。ただし、許可サーバ３００における判定処理（図９に示す７２４乃至７２８）については、設定情報の更新確認要求を送信したタイミングで既に行われているため、省略する点が異なる。ただし、セキュリティ要件に応じて、図９と同様に、許可サーバ３００における判定処理（図９に示す７２４乃至７２８）を行うようにしてもよい。
【０１６５】
また、設定情報の更新有無結果が無の場合には、設定情報を取得する必要がないため、設定情報の取得処理を終了する。
【０１６６】
このように、設定サーバ２００の制御部２２０は、第２無線通信装置５００から所定タイミングで送信される設定情報の要求が受け付けられた場合に、設定情報を第２無線通信装置５００に提供するための制御を行う。ここで、所定タイミングは、例えば、所定間隔毎のタイミング、または、第２無線通信装置５００の電源がオンされたタイミングである。
【０１６７】
このように、本技術の第３の実施の形態によれば、ネットワーク設定を自動化することができる。
【０１６８】
ここで、近年では、無線ＬＡＮ（ＷＬＡＮ（Wireless ＬＡＮ））の設置が急激に進んでいる。また、オフィスや住居内でも無線ＬＡＮが広く使用されている。さらに、一人あたりのユーザが使用するデバイス（無線通信装置）の数も増えている。このため、複雑な無線ＬＡＮの設定作業を何度も行うことが想定される。
【０１６９】
そこで、本技術の実施の形態では、ネットワークに接続されている設定サーバ２００にネットワークの設定情報を登録しておき、複数の通信経路を使用することが可能な無線通信装置が、現在使用可能な通信経路から設定情報を取得することができる。
【０１７０】
例えば、ユーザが新たな無線通信装置の使用を開始する場合に、すでに別の無線通信装置で使用中のネットワークの設定情報を、その使用を開始するタイミングで容易に取得することができる。すなわち、ネットワークの設定情報の設定作業を簡略化することができる。
【０１７１】
また、複数の無線通信装置を所有するユーザが新たなネットワークを使用する場合に、１つの無線通信装置についてネットワーク設定作業を行うことにより、他の無線通信装置についての設定作業を省略することができる。
【０１７２】
このように、本技術の実施の形態では、無線通信装置において未設定の通信経路の設定情報を容易に取得することができる。すなわち、複雑な無線ＬＡＮの設定作業を何度も行う必要がない。また、ユーザは、簡単に無線ＬＡＮ等のネットワークを新たに使用することができる。
【０１７３】
なお、本技術の実施の形態では、設定情報の管理と、無線通信装置の管理とを異なる情報処理装置（設定サーバ２００、許可サーバ３００）により行う例を示した。ただし、これらの管理を一体の情報処理装置（または、情報処理システム）が行う場合についても、本技術の実施の形態を適用することができる。また、これらの情報処理装置が備える各部（例えば、制御部２２０）を複数の装置により構成する情報処理システムについても本技術の実施の形態を適用することができる。
【０１７４】
また、携帯型の無線通信装置（例えば、データ通信専用端末装置）や、固定型の無線通信装置に本技術の実施の形態を適用することができる。例えば、自動販売機のデータ収集を目的とする無線通信装置、エレベータ、自動車、電子機器（例えば、家電製品、ゲーム機、デジタルフォトフレーム）に搭載されている無線通信装置に本技術の実施の形態を適用することができる。
【０１７５】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１７６】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０１７７】
なお、本技術は以下のような構成もとることができる。
（１）  無線通信を利用して所定のネットワークに接続する際における認証に用いられる情報であって第１無線通信装置に保持されている設定情報を管理する管理部と、
前記設定情報を第２無線通信装置に提供するための制御を行う制御部と
を具備する情報処理装置。
（２）  前記制御部は、前記管理部に複数の設定情報が管理されている場合には前記複数の設定情報を前記第２無線通信装置に表示させて１または複数の設定情報をユーザ操作により選択させるための表示情報を前記第２無線通信装置に送信するための制御を行う上記（１）に記載の情報処理装置。
（３）  前記制御部は、前記ユーザ操作により選択された設定情報のみを第２無線通信装置に提供するための制御を行う上記（２）に記載の情報処理装置。
（４）  前記制御部は、ユーザ操作に応じて前記第２無線通信装置から送信される前記設定情報の要求が受け付けられた場合に、前記設定情報を第２無線通信装置に提供するための制御を行う上記（１）から（３）のいずれかに記載の情報処理装置。
（５）  前記制御部は、前記第２無線通信装置から所定タイミングで送信される前記設定情報の要求が受け付けられた場合に、前記設定情報を第２無線通信装置に提供するための制御を行う上記（１）から（３）のいずれかに記載の情報処理装置。
（６）  前記所定タイミングは、所定間隔毎のタイミングまたは前記第２無線通信装置の電源がオンされたタイミングである上記（５）に記載の情報処理装置。
（７）  前記第２無線通信装置は、接続可能な通信経路を利用して前記設定情報の要求を前記情報処理装置に送信し、前記通信経路を利用して前記設定情報を前記情報処理装置から受信して保存する上記（１）から（６）のいずれかに記載の情報処理装置。
（８）  前記設定情報は、無線ＬＡＮを利用して前記ネットワークに接続する際における認証に用いられる情報である上記（１）から（７）のいずれかに記載の情報処理装置。
（９）  前記制御部は、前記第１無線通信装置および前記第２無線通信装置を管理する管理装置から、前記第２無線通信装置への前記設定情報の提供の許可を受けたことを条件に、前記設定情報を第２無線通信装置に提供する上記（１）から（８）のいずれかに記載の情報処理装置。
（１０）  前記管理部は、前記第１無線通信装置からの要求に応じて前記設定情報を登録するデータベースである上記（１）から（９）のいずれかに記載の情報処理装置。
（１１）  前記管理部は、前記第１無線通信装置のユーザ毎に１または複数の前記設定情報を登録するデータベースである上記（１）から（１０）のいずれかに記載の情報処理装置。
（１２）  無線通信を利用して所定のネットワークに接続する際における認証に用いられる設定情報を保持する第１無線通信装置と、
前記設定情報を管理する管理部と、前記設定情報の要求が第２無線通信装置から受け付けられた場合に前記設定情報を前記第２無線通信装置に提供するための制御を行う制御部とを備える情報処理装置と、
接続可能な通信経路を利用して前記設定情報の要求を前記情報処理装置に送信し、前記通信経路を利用して前記設定情報を前記情報処理装置から受信して保存する第２無線通信装置と
を具備する通信システム。
（１３）  無線通信を利用して所定のネットワークに接続する際における認証に用いられる情報であって第１無線通信装置に保持されている設定情報の要求を第２無線通信装置から受け付ける受付手順と、
前記設定情報の要求が受け付けられた場合に、前記設定情報を管理する管理部に管理されている前記設定情報を前記第２無線通信装置に提供する提供手順と
を具備する情報処理方法。
【符号の説明】
【０１７８】
１００  通信システム
１１０  ネットワーク
１２０  通信制御装置
１２１  基地局
１３０  ルータ（家庭内無線ＬＡＮ）
１３１、１４１  アクセスポイント
１４０  ルータ（公衆無線ＬＡＮ）
２００  設定サーバ
２１０  通信部
２２０  制御部
２３０  設定情報管理データベース
３００  許可サーバ
３１０  通信部
３２０  制御部
３３０  デバイス管理データベース
４００  第１無線通信装置
４１０  通信部
４１１  アンテナ
４１２  アンテナ共用部
４１３  復調部
４１４  変調部
４２０  無線ＬＡＮ通信部
４２１  アンテナ
４２２  アンテナ共用部
４２３  復調部
４２４  変調部
４３０  制御部
４３１  バス
４４０  メモリ
４５０  契約認証情報記憶部
４５５  設定情報記憶部
４６０  操作部
４７０  表示部
４８０  位置情報取得部
４９１  マイクロフォン
４９２  スピーカ
５００  第２無線通信装置
【図１】
2013211647.tif 000003
【図２】
2013211647.tif 000004
【図３】
2013211647.tif 000005
【図４】
2013211647.tif 000006
【図５】
2013211647.tif 000007
【図６】
2013211647.tif 000008
【図７】
2013211647.tif 000009
【図８】
2013211647.tif 000010
【図９】
2013211647.tif 000011
【図１０】
2013211647.tif 000012
【図１１】
2013211647.tif 000013
【図１２】
2013211647.tif 000014
【図１３】
2013211647.tif 000015
【図１４】
2013211647.tif 000016